(57)【要約】      （修正有）【課題】色検証処理の途中で紙詰まりが発生した場合、紙詰まりの前に取得した色測定データを再利用することができるかどうかを判断する画像形成装置を提供する。【解決手段】画像形成装置は、カラーチャートを読み取る感知機器、及びプロセッサーを有し、前記プロセッサーは、第１の色検証ジョブを行い、前記第１の色検証ジョブが中断された場合に、前記第１の色検証ジョブの後で、以前の色検証ジョブからの１つ以上のカラーパッチを含む第２の色検証ジョブを行い、前記以前の色検証ジョブから測定データを取得し、前記第２の色検証ジョブから測定データを取得し、前記以前の色検証ジョブの前記測定データと前記第２の色検証ジョブの前記測定データとの間の１つ以上の相違点に基づいて、前記以前の色検証ジョブの前記測定データを再利用するかどうかを判断する。【選択図】図１４
2019123233.tif 000002
【特許請求の範囲】
【請求項１】
画像形成装置であって
１つ以上のカラーパッチを有するカラーチャートを読み取る感知機器、及び
プロセッサーを有し、
前記プロセッサーは、
第１の色検証ジョブを行い、
前記第１の色検証ジョブが完了する前に前記第１の色検証ジョブが中断された場合、又は印刷ジョブが中断された場合に、前記第１の色検証ジョブの後で、以前の色検証ジョブからの１つ以上のカラーパッチを含む第２の色検証ジョブを行い、
前記以前の色検証ジョブから測定データを取得し、
前記第２の色検証ジョブから測定データを取得し、
前記以前の色検証ジョブの前記測定データと前記第２の色検証ジョブの前記測定データとの間の１つ以上の相違点に基づいて、前記以前の色検証ジョブの前記測定データを再利用するかどうかを判断する、画像形成装置。
【請求項２】
前記以前の色検証ジョブの前記測定データを記憶するメモリーをさらに有する、請求項１に記載の画像形成装置。
【請求項３】
前記以前の色検証ジョブは前記第１の色検証ジョブである、請求項１に記載の画像形成装置。
【請求項４】
前記以前の色検証ジョブの前記測定データは、前記第２の色検証ジョブと同じ日に実施された色検証完了データである、請求項１に記載の画像形成装置。
【請求項５】
前記プロセッサーは、前記以前の色検証ジョブが紙詰まりによって中断されたかどうかを判断する、請求項１に記載の画像形成装置。
【請求項６】
前記プロセッサーは、前記以前の色検証ジョブの前記測定データと前記第２の色検証ジョブの前記測定データとの間の色差が所定の値を超えない場合、前記以前の色検証ジョブの前記測定データを再利用することを決定する、請求項１に記載の画像形成装置。
【請求項７】
前記プロセッサーは、前記第２の色検証ジョブの前記測定データが前記所定の値を超えない場合、前記第１の色検証ジョブの全体を１度だけ印刷する、請求項３に記載の画像形成装置。
【請求項８】
前記プロセッサーは、前記第２の色検証ジョブの前記測定データを前記以前の色検証ジョブの前記測定データと比較するために、前記以前の色検証ジョブからカラーパッチを選択してサンプルカラーチャートを生成する、請求項１に記載の画像形成装置。
【請求項９】
前記サンプルカラーチャートは、前記第１の検証ジョブの各ページから選択された少なくとも１つのパッチを含む、請求項８に記載の画像形成装置。
【請求項１０】
前記サンプルカラーチャートは、前記第１の検証ジョブの各ページから選択された複数行のカラーパッチを含む、請求項８に記載の画像形成装置。
【請求項１１】
画像形成装置の色検証のための方法であって、
以前の色検証ジョブの測定データを取得する工程と、
第１の色検証ジョブ又は印刷ジョブが中断されたかどうかを判定する工程と、
前記第１の色検証ジョブ又は前記印刷ジョブが中断された場合、第２の色検証ジョブの測定データを取得する工程と、
前記以前の色検証ジョブの前記測定データと前記第２の色検証ジョブの前記測定データとの間の１つ以上の相違点に基づいて、前記以前の色検証ジョブの前記測定データを再利用するかどうかを判断する工程と、を含む方法。
【請求項１２】
前記第１の検証ジョブが完了した後の前記以前の色検証ジョブの前記測定データをメモリーに記憶する工程をさらに含む、請求項１１に記載の方法。
【請求項１３】
前記第１の色検証ジョブが紙詰まりによって中断されたかどうかを判定する工程をさらに含む、請求項１１に記載の方法。
【請求項１４】
前記以前の色検証ジョブの前記測定データと前記第２の色検証ジョブの測定データとの間の色差が所定の値を超えない場合、前記以前の色検証ジョブの前記測定データを再利用することを決定する工程をさらに含む、請求項１１に記載の方法。
【請求項１５】
前記第２の色検証ジョブの前記測定データを前記以前の色検証ジョブの前記測定データと比較するために、前記以前の色検証ジョブからカラーパッチを選択してサンプルカラーチャートを生成する工程をさらに含む、請求項１１に記載の方法。
【請求項１６】
画像形成装置の色検証用のコンピューター可読プログラムコードを記憶した非一時的なコンピューター可読記録媒体であって、前記コンピューター可読プログラムコードは、
以前の色検証ジョブの測定データを取得する工程と、
第１の色検証ジョブ又は印刷ジョブが中断されたかどうかを判定する工程と、
前記第１の色検証ジョブ又は前記印刷ジョブが中断された場合、第２の色検証ジョブの測定データを取得する工程と、
前記以前の色検証ジョブの前記測定データと前記第２の色検証ジョブの前記測定データとの間の１つ以上の相違点に基づいて、前記以前の色検証ジョブの前記測定データを再利用するかどうかを判断する工程と、を含む処理を実行する、コンピューター可読記録媒体。
【請求項１７】
前記第１の検証ジョブが完了した後の前記以前の色検証ジョブの前記測定データをメモリーに記憶する工程をさらに含む、請求項１６に記載のコンピューター可読記録媒体。
【請求項１８】
前記以前の色検証ジョブが紙詰まりによって中断されたかどうかを判定する工程をさらに含む、請求項１６に記載のコンピューター可読記録媒体。
【請求項１９】
前記以前の色検証ジョブの前記測定データと前記第２の色検証ジョブの測定データとの間の色差が所定の値を超えない場合、前記以前の色検証ジョブの前記測定データを再利用することを決定する工程をさらに含む、請求項１６に記載のコンピューター可読記録媒体。
【請求項２０】
前記第２の色検証ジョブの前記測定データを前記以前の色検証ジョブの前記測定データと比較するために、前記以前の色検証ジョブからカラーパッチを選択してサンプルカラーチャートを生成する工程をさらに含む、請求項１６に記載のコンピューター可読記録媒体。
【発明の詳細な説明】
【技術分野】
【０００１】
本開示は一般的に色測定データを再利用するための方法及びシステムに関し、より具体的には、例えば、色検証処理を停止させる紙詰まりが発生した後で、カラープリンター、多機能周辺装置（ＭＦＰ）、及び／又は画像形成装置の色検証（又は色妥当性検査）で色測定データを再利用するための方法及びシステムに関する。
【背景技術】
【０００２】
画像形成装置及び機器では、均一な色調を一貫して維持することが望ましい目標である。例えば、どの描画システムが画像を描画しても、かつ特定のシステムで画像を何回描画しても、画像が同じように見えることが望ましい。例えば、画像が所与のシステムで描画されるたびに、またどのシステムで画像が描画された場合でも、その画像は同じ明度又は色相を示すべきである。この理由のため、プリントシステム内の印刷エンジンなどの描画エンジンは、印刷エンジンが適切な色再現性を実現しているか否かを評価するために、色検証（又は色妥当性検査処理）にかけられる。
【０００３】
色検証処理では、複数の色測定ページ（これら複数の色測定ページの各々は複数のカラーパッチを持つ）を印刷し、測定機器、例えば画像形成装置内の色感知機器によって測定し、その後、測定機器によって測定された各色を対応する目標とする色と比較する。
【０００４】
測定された色のうちの１つが対応する目標色と一致しない場合、色較正処理中に画像形成装置に対して色補正を行うことができる。
【０００５】
高い色再現性を必要とする高級プリンターに関しては、１度の色検証処理で何千ものカラーパッチを印刷することができ、検証処理を短い間隔で繰り返すことができる。
【０００６】
さらに、例えばキンコーズ（登録商標）などのプリントショップでは、カラープリンター又はＭＦＰの各々の色精度を保証するために、例えば、朝一番に（例えば、開店前に）、カラープリンター又はＭＦＰの各々に対して色検証処理を行う。通常、プリントショップは、インラインのスキャナー及び分光光度計を備えたプリンター又はＭＦＰから１組のカラーチャートを印刷し測定する。例えば、１組のカラーチャートは、複数ページのカラーチャート、例えば、５０ページ以上を含むことがある。
【０００７】
状況によっては、カラープリンター又はＭＦＰは、色検証処理の途中又は後で、例えば紙詰まりなどの中断を経験することがある。紙詰まりが解消された後で、検証処理又は手順を再開する必要があり、これにより、カラープリンター又はＭＦＰが、カラーチャート全体を始めから、例えば１ページ目で開始してカラーチャートのページを１つ残らず、再印刷しなくてはならないことになる。これは、印刷処理の中断の後ではプリンターの状態が変化していることがあるからである。特に、詰まりの場合には、色状態が変化している可能性がある。例えば、紙詰まりが発生すると、紙詰まりが発生する前に何ページ印刷されたかに関わりなく、紙詰まりが解消された後で検証処理全体を再開しなくてはならない。検証処理の再開は、時間の損失及び追加の材料の使用につながる。例えば、１組のカラーチャート、例えば５０ページのカラーチャートの印刷中に４９ページ目で紙詰まりが発生すると、紙詰まりが発生する前に印刷された全てのページが無駄になり、前に印刷された４９ページを再印刷し再度測定することが必要になる。
【発明の概要】
【発明が解決しようとする課題】
【０００８】
したがって、中断又は紙詰まりの前に取得した色測定データを、紙詰まりが発生した後で、プリンター又はＭＦＰの色検証時に再利用することができるかどうかを判断する方法及びシステムを持つことで、例えば、色検証処理中の紙の無駄並びにトナー及び／又はインクの使用を回避することが望ましい。
【課題を解決するための手段】
【０００９】
画像形成装置が開示される。この装置は、カラーチャートを読み取る感知機器及びプロセッサーを有し、カラーチャートは１つ以上のカラーパッチを有し、このプロセッサーは、第１の色検証ジョブを実行し、第１の色検証ジョブが中断された場合又は第１の色検証ジョブが完了する前に印刷ジョブが中断された場合に第１の色検証ジョブの後で第２の色検証ジョブを実行し、第２の色検証ジョブは前の色検証ジョブからの１つ以上のカラーパッチを含み、さらにこのプロセッサーは、前の色検証ジョブから測定データを取得し、第２の色検証ジョブから測定データを取得し、かつ前の色検証ジョブの測定データと第２の色検証ジョブの測定データとの１つ以上の相違点に基づいて、前の色検証ジョブの測定データを再利用するかどうかを決定する。
【００１０】
画像形成装置の色検証のための方法が開示され、この方法は、前の色検証ジョブの測定データを取得する工程と、第１の色検証ジョブ又は印刷ジョブが中断されたかどうかを判定する工程と、第１の色検証ジョブ又は印刷ジョブが中断された場合に第２の色検証ジョブの測定データを取得する工程と、前の色検証ジョブの測定データと第２の色検証ジョブの測定データとの１つ以上の相違点に基づいて、前の色検証ジョブの測定データを再利用するかどうかを判断する工程と、を含む。
【００１１】
画像形成装置の色検証のためのコンピューター可読プログラムコードを保存した非一時的なコンピューター可読記録媒体が開示される。このコンピューター可読プログラムコードは、前の色検証ジョブの測定データを取得する工程と、第１の色検証ジョブ又は印刷ジョブが中断されたかどうかを判定する工程と、第１の色検証ジョブ又は印刷ジョブが中断された場合に第２の色検証ジョブの測定データを取得する工程と、前の色検証ジョブの測定データと第２の色検証ジョブの測定データとの１つ以上の相違点に基づいて、前の色検証ジョブの測定データを再利用するかどうかを判断する工程と、を含む処理を実行する。
【００１２】
言うまでもないことだが、前述の一般的な説明及びこれ以降の詳細な説明は両方とも例示的かつ説明的なものであり、特許請求される本発明の更なる説明を提供することを意図している。
【図面の簡単な説明】
【００１３】
添付の図面は、本発明の理解をさらに深めるために含まれるものであり、本明細書に組み込まれて本明細書の一部を構成する。図面は、本発明の実施形態を示しており、説明文と共に、本発明の原理を説明する働きをする。
【図１】例示的な実施形態による、色測定データを再利用するための方法又は処理を実施することができる、プリントショップ内の例示的な複数の印刷機又は印刷機のグループを示す図である。
【図２】例示的な実施形態によるサーバの図である。
【図３】例示的な実施形態によるホストコンピューター又はクライアントコンピューターの図である。
【図４】例示的な実施形態によるプリンター又は印刷機の図である。
【図５】図４に示すプリンター又は印刷機の外観図である。
【図６】図４及び図５に示すプリンター又は印刷機によって印刷することができる例示的なカラーパッチチャートの説明である。
【図７】例示的な実施形態による、目標色データを示す図の説明である。
【図８】例示的な実施形態による、実際の色データを示す図の説明である。
【図９】例示的な実施形態による、色品質を示す図の説明である。
【図１０】例示的な実施形態による、複数のカラーパッチチャート、及びプリンター又は印刷機のプリンター状態をチェックするために使用することができる例示的な色図の説明である。
【図１１】例示的な実施形態による、複数のカラーパッチチャート、及びプリンター又は印刷機の印刷状態をチェックするために使用することができる例示的な色図の別の図である。
【図１２】例示的な実施形態による、複数のカラーパッチチャート、及びプリンター又は印刷機の印刷状態をチェックするために使用することができる例示的な色図の説明である。
【図１３】元のカラーパッチ測定値、所定の許容範囲又は百分率の範囲内にある例示的なカラーパッチ測定値、及び所定の許容範囲又は百分率の範囲内にない例示的なカラーパッチ測定値を示す、例示的なカラーチャートから得られる測定値の一例を示す図である。
【図１４】例示的な実施形態による、色測定データを再利用するための方法及びシステムを示す流れ図である。
【図１５Ａ】別の例示的な実施形態による、色測定データを再利用するための方法及びシステムを示す流れ図である。
【図１５Ｂ】別の例示的な実施形態による、色測定データを再利用するための方法及びシステムを示す流れ図である。
【発明を実施するための形態】
【００１４】
ここで、本発明の好ましい実施形態について詳細に述べる。好ましい実施形態の例を添付の図面に示す。可能な限り、図面及び説明で同一の部分又は同様の部分を同じ参照符号で示す。
【００１５】
図１は、例示的な実施形態による、色測定データを再利用するための方法又は処理を実施することができるプリントショップ１０内の例示的なグループすなわち複数の印刷機４０を示している。図１に示すように、プリントショップ１０は少なくとも１台のサーバ２０、少なくとも１台のクライアント又はクライアントコンピューター３０、及び複数の画像形成装置、例えばプリンター又は印刷機（又はＭＦＰ）４０を含むことができる。例示的な実施形態によれば、１台以上のプリンター又は印刷機４０は、例えば通信ネットワーク（又はネットワーク）５０によって、プリントショップ１０の外部に配置された１台以上のクライアント機器３２に接続することができる。例示的な実施形態によれば、１台以上のプリンター又は印刷機（又はＭＦＰ）４０は各々分光光度計（又は比色計）４１１（図４）を持つ。
【００１６】
例示的な実施形態によれば、通信ネットワーク又はネットワーク５０は、公衆通信回線及び／又はネットワーク（例えば、ＬＡＮ又はＷＡＮ）であってもよい。通信ネットワーク５０の例としては、通信回線又は電話回線、インターネット、イントラネット、図示するようなローカルエリアネットワーク（ＬＡＮ）、広域エリアネットワーク（ＷＡＮ）、並びに／又は無線周波数（ＲＦ）及び／若しくは赤外線（ＩＲ）送信を使用した無線接続をこれらに限定はしないが含む、本開示の実施形態と整合性の取れた任意の通信回線及び／又はネットワークが挙げられる。
【００１７】
図２は、例示的な実施形態によるサーバ２０の図である。図２に示すように、サーバ２０は、プロセッサー又は中央演算処理装置（ＣＰＵ）２０１、並びにソフトウェアプログラム及びデータを保存するための１つ以上のメモリー２０２含むことができ、メモリー２０２は、管理プログラム（又はウェブポータル）２０３、カラーチャートデータベース２０４、目標データベース２０５、測定結果データベース２０６、及び印刷待ち行列２０７を含むことができる。プロセッサー又はＣＰＵ２０１はコンピュータープログラムの命令を実行し、このプログラムは、サーバ２０の機能の少なくとも一部を動作させ、かつ／又は制御する。サーバ２０は、入力ユニット２０８、表示装置又はグラフィカルユーザインターフェース（ＧＵＩ）２０９、及び通信ネットワーク（又はネットワーク）５０に接続されているネットワークインターフェース（Ｉ／Ｆ）２１０を含むことができる。バス２１１は、サーバ２０内部の様々な構成要素２０１、２０２、２０８、２０９、及び２１０を接続することができる。サーバ２０は、オペレーティングシステム（ＯＳ）を含み、オペレーティングシステムは、コンピューターのハードウェアを管理し、本明細書に開示する様々なソフトウェアプログラムを効率的に実行するための共通のサービスを提供する。
【００１８】
図３は、例示的な実施形態による例示的なホストコンピューター又はクライアントコンピューター３０、３２の図である。図３に示すように、例示的なホストコンピューター又はクライアントコンピューター３０、３２は、プロセッサー又は中央演算処理装置（ＣＰＵ）３０１、並びにソフトウェアプログラム及びデータ（印刷対象ファイルなど）及びプリンタードライバーを保存するための１つ以上のメモリー３０２を含むことができる。クライアントコンピューター３０、３２のプリンタードライバーは、印刷対象データをプリンター４０に特有の形式に変換するソフトウェアアプリケーションであることが好ましい。プロセッサー又はＣＰＵ３０１はコンピュータープログラムの命令を実行し、このプログラムは、クライアントコンピューター３０、３２の機能の少なくとも一部を動作させ、かつ／又は制御する。クライアントコンピューター３０、３２は、入力ユニット３０３、表示装置又はグラフィカルユーザインターフェース（ＧＵＩ）３０４、及び通信ネットワーク（又はネットワーク）５０に接続されているネットワークインターフェース（Ｉ／Ｆ）３０５を含むことができる。バス３０７は、クライアントコンピューター３０、３２内部の様々な構成要素３０１、３０２、３０３、３０４、３０５、３０６を接続することができる。
【００１９】
例示的な実施形態によれば、各クライアントコンピューター３０は、そのクライアントコンピューター３０のメモリー３０２内のウェブブラウザ３０６にアクセスすることができる表示装置又はグラフィカルユーザインターフェース（ＧＵＩ）３０４を含む。ウェブブラウザ３０６は、本、ホッチキス留めされた文書、取扱説明書、チラシ、ラベル等、特定の情報を印刷するためにプリントショップを利用することを期待している顧客を特に集客するように設計されたウェブポータル（又は管理プログラム）２０３にアクセスを提供するようになっている。ウェブポータル（又は管理プログラム）２０３は、少なくとも１台のサーバ２０が対応することが好ましい。しかしながら、ウェブポータル（又は管理プログラム）２０３は、プリントショップ１４内の少なくとも１台のクライアントコンピューター３０及び／又は１台以上のプリンター４０が対応することもある。
【００２０】
クライアントコンピューター３０は、オペレーティングシステム（ＯＳ）を含み、オペレーティングシステムは、コンピューターのハードウェアを管理し、様々なソフトウェアプログラムを効率的に実行するための共通のサービスを提供する。ソフトウェアプログラムは、例えば、アプリケーションソフトウェア及びプリンタードライバーソフトウェアを含むことがある。例えば、プリンタードライバーソフトウェアは、例えば、プリンタードライバーソフトウェアが通信ネットワーク５０経由でインストールされているクライアントコンピューター３０と接続されている、多機能プリンター又はプリンター４０を制御する。ある実施形態では、プリンタードライバーソフトウェアは、画像データ及び／又は文書データに基づいて印刷ジョブ及び／又は文書を生成することができる。さらに、プリンタードライバーソフトウェアは、クライアントコンピューター３０から少なくとも１台のサーバ２０及び／又はプリンター若しくは印刷機４０への印刷ジョブの送信を制御することができる。
【００２１】
図４は、例示的な実施形態による、画像形成装置と呼ばれることもあるプリンター又は印刷機４０の図である。図４に示すように、プリンター４０は、通信ネットワーク（又はネットワーク）５０に接続されたネットワークインターフェース（Ｉ／Ｆ）４０８、プロセッサー又は中央演算処理装置（ＣＰＵ）４０１、並びにソフトウェアプログラム及びデータ（印刷されるべきファイルなど）を保存するための１つ以上のメモリー４０２を含むことができる。例えば、ソフトウェアプログラムは、プリンター制御部及びトレーテーブルを含むことができる。プロセッサー又はＣＰＵ４０１はコンピュータープログラムの命令を実行し、このプログラムは、プリンター４０の機能の少なくとも一部を動作させ、かつ／又は制御する。例示的な実施形態によれば、１つ以上のメモリー４０２は、ジョブ待ち行列４０４及びカラーパッチチャート用データ４０５を含むことができる。プリンター４０は、入力ユニット４０６、表示装置又はグラフィカルユーザインターフェース（ＧＵＩ）４０７、ネットワークインターフェース（Ｉ／Ｆ）４０８、スキャナーエンジン（又はスキャナー）４０９、プリンターエンジン４１０、及び比色計４１１も含むことができる。例示的な実施形態によれば、プリンター４０は、色プロファイルを生成するために、印刷されたカラーパッチを測定するインライン式比色計（ＩＣＣＵ）（又は分光光度計）４１１を備えることができる。
【００２２】
例示的な実施形態によれば、例えば、比色計（又は分光光度計）４１１は、ＲＧＢ（赤色、緑色、青色）スキャナー、光検出器を備えた分光スキャナー、又は当分野で知られている他の感知機器などの１つ以上の色センサ又は比色計とすることができ、印刷後の紙の経路や、随意的な仕上げ装置又は機器（図示せず）に配置することができる。バス４１２は、プリンター４０内部の様々な構成要素４０１、４０２、４０４、４０５、４０６、４０７、４０８、４０９、４１０、４１１を接続することができる。プリンター４０は、オペレーティングシステム（ＯＳ）も含み、オペレーティングシステムは、コンピューターのハードウェアを管理し、様々なソフトウェアプログラムを効率的に実行するための共通のサービスを提供する。例示的な実施形態によれば、プリンター４０がコピー機であることは本開示の範囲内である。
【００２３】
例えば、例示的な実施形態によれば、プリンター４０内部の画像処理部は、印刷制御部又はＣＰＵ４０１の制御で様々な画像処理を実行することができ、処理済み印刷画像データを印刷エンジン４１０に送信する。画像処理部は、画像認識システムなどの、光学的に文書を読み取るためのスキャナー部（スキャナー４０９）を含むこともできる。スキャナー部は、スキャナー４０９から画像を受け取り、その画像をデジタル画像に変換する。印刷エンジン４１０は、画像処理部から送信された画像データに基づいて、印刷媒体（又は記録シート）上に画像を形成する。中央演算処理装置（ＣＰＵ）（又はプロセッサー）４０１及びメモリー４０２は、ラスター画像処理（ＲＩＰ処理）用のプログラムを含むことができ、この処理は、印刷ジョブに含まれる印刷データを、プリンター又は印刷エンジン４１０で使用されるべきラスター画像データに変換するための処理である。ＣＰＵ４０１は、１台以上のクライアントコンピューター３０、３２から受け取った、例えば、ネットワーク接続ユニット及び／又は入力／出力部（Ｉ／Ｏ部）４０８を介して受け取った、データ及びジョブ情報を処理するプリンター制御部を含むことができる。
【００２４】
ＣＰＵ４０１はオペレーティングシステム（ＯＳ）を含むこともできる。オペレーティングシステムは、多機能周辺装置内部のソフトウェアプログラムとハードウェア部品との間の仲介役として働く。オペレーティングシステム（ＯＳ）は、コンピューターのハードウェアを管理し、様々なソフトウェアアプリケーションを効率的に実行するための共通のサービスを提供する。例示的な実施形態によれば、プリンター制御部は、１台以上のクライアントコンピューター３０、３２から受け取ったデータ及びジョブ情報を処理して印刷画像を生成することができる。
【００２５】
例示的な実施形態によれば、ネットワークＩ／Ｆ４０８は、少なくとも１台のサーバ２０及び少なくとも１台のクライアントコンピューター３０、３２とのデータ伝送を行う。プリンター制御部は、本明細書で説明する様々な方法を実行するために、データを処理し多機能周辺装置の様々な他の構成要素を制御するようにプログラムされることがある。例示的な実施形態によれば、プリンター部が、印刷ジョブデータストリーム及び／又はファックスデータストリームの形式で、ネットワークＩ／Ｆ４０８を経由して少なくとも１台のサーバ２０又は１台以上のクライアントコンピューター３０、３２からページ記述を受信すると、プリンター部の動作が開始する。ページ記述は、PostScript（登録商標）（ＰＳ）、プリンター制御言語（ＰＣＬ）、ポータブル・ドキュメント・フォーマット（ＰＤＦ）、及び／又はＸＰＳ(XML Paper Specifications)などの任意の種類のページ記述言語（ＰＤＬ）であればよい。本開示の例示的な実施形態と整合性の取れたプリンター４０の例としては、多機能周辺装置（ＭＦＰ）、レーザビームプリンター（ＬＢＰ）、ＬＥＤプリンター、コピー機能を含む多機能レーザビームプリンターが挙げられるが、これらに限定はされない。
【００２６】
図５は、図４に示すプリンター又は印刷機４０の外観図である。図５に示すように、プリンター４０は、少なくとも１つの自動トレー又は用紙トレー５１０、より好ましくは複数の自動トレー又は用紙トレー５１０を含むことができる。各自動トレー又は用紙トレー５１０は、印刷媒体５１２、例えば用紙又は紙状の製品などの山を保持する置き場又はトレーを含むことができる。プリンターエンジン又は印刷エンジン４１０は、例えば入力トレーに格納することができる、様々なサイズ及び印刷ジョブ用ワークフローの印刷媒体５１２へのアクセスを有する。「印刷ジョブ」又は「文書」は一組の関連あるシート、通常は、特定のユーザからの、１組の元の印刷ジョブシート若しくは電子文書ページ画像から複写された、１組以上のページ順に揃えられた、あるいは関連のある複写物の組である。
【００２７】
例示的な実施形態によれば、図４及び図５に示す少なくとも１台のプリンター又はＭＦＰ４０の色検証（及び必要な場合は対応する色較正）は、例えばＣＰＵ４０１の印刷制御部で色試験パターンを生成することによって行うことができる。この印刷制御部は、例えばデジタルフロントエンド（ＤＦＥ）印刷機制御部であり、この印刷機制御部は、１つ以上の印刷状態に基づいて設定されることがあり、又は、例えば、印刷機又はプリンター４０によって特定の印刷部数が印刷された後で手動で設定されることがあり、あるいは、プリントショップ１０の開店時に、１台以上のプリンター４０の各々が本明細書に開示する色検証処理を実行することができるように、手動で設定されることがある。較正設定が有効になると、カラーチャート（又は色測定ページ）を印刷することができ、１つ以上の印刷したカラーチャート及びその１つ以上の印刷したカラーチャートの各々における対応するカラーパッチを、比色計４１１を使用して、１つ以上の印刷したカラーパッチの各々について、対応する目標色と比較することができる。目標色（又は目標色データ）と比較された色較正パッチは、印刷機又はプリンター４０の印刷エンジンの色描画性能を決定することができ、かつ／又は本明細書に開示するように色プロファイルを生成することができる。例示的な実施形態によれば、色プロファイルは、色域又は色空間、及び単色又はスペクトル色を含むことができる。
【００２８】
例示的な実施形態によれば、印刷媒体５１２は、１つ以上の印刷媒体属性を有する用紙又は紙状の媒体であることが好ましい。印刷媒体属性には、例えば、用紙の色、コーティング、用紙のきめの方向、印刷技術、明度、ＣＩＥ、色合い、白さ、ｌａｂカラー等が含まれることがある。印刷品質を最大限に引き出すために、各種の印刷媒体の印刷媒体属性を、プリンター４０に、例えばプリンター４０のプリンター環境設定に入力して又はそこで管理して、最高品質の出力を得るようにすべきである。大半の印刷媒体５１２は、その印刷媒体の製造情報、サイズ、種類、及び他の属性に関する情報などの表示をつけて梱包されている、連（用紙の梱包単位）又は他の知られている数量で提供される。さらに、大部分の用紙の束又は連は、ＵＰＣ（統一商品コード）又はバーコードを含んでおり、これは、印刷媒体の製造情報を含む印刷媒体の種類を特定する。
【００２９】
図６は、図４及び図５に示すプリンター又は印刷機４０によって印刷することができる例示的なカラーパッチチャート６００の図である。図６に示すように、印刷したカラーパッチチャート６００は、印刷媒体５１２の１枚以上のシートに印刷された複数のカラーパッチ（又は検証用印刷ストライプ）６１０を含むことができる。本明細書に開示するように、複数のカラーパッチは、インライン式の分光光度計又は比色計４１１によって読み取られることが好ましい。このインライン式分光光度計又は比色計４１１は、例えば、１つ以上のインライン式色センサ（図示せず）であってもよく、この色センサは、用紙の経路中に配置され、処理のために情報をＣＰＵ４０１に供給する。インライン式分光光度計又は比色計４１１からＣＰＵ（又はプロセッサー）４０１によって受け取られた情報を使用して、１つ以上のカラーパッチ６１０が不合格かどうか、例えば、インライン式分光光度計又は比色計４１１によって読み取られた印刷したカラーパッチ６１０のうちの少なくとも１つが目標色と一致しないか、かつ／又は色品質が所望の目標色データ（又は範囲）の内にないことを判定することができる。
【００３０】
例示的な実施形態によれば、色検証（又は色妥当性検査）は、目標色と、測定機器、例えばプリンター（又はＭＦＰ）４０内部の色感知機器によって測定した実際の色との間で色を比較する機能である。色検証では、複数の色測定ページ（これら複数の色測定ページの各々は複数のカラーパッチを持つ）を印刷し、測定機器で測定する。測定した色が目標色と一致しない場合、プリンター又は印刷機４０に対して色補正を行うことができる。
【００３１】
例示的な実施形態によれば、目標色は、例えばＣＭＹＫ色モデル又はＲＧＢ色モデルに基づく色域又は勾配を含むことができ、これらのモデルは例えば、FOGRA、FOGRA27、FOGRA39、ISO12647-7 Control Wedge2013 + GRACOL 2006、ISO coated v2 (ECI)、ISO coated v2 300% (ECI)、Coated GRACol 2006、Web Coated SWOP 2006 Grade 3 Paper、Web Coated SWOP 2006 Grade 5 Paper、Adobe RGB saturation、Adobe RGB perceptual、Adobe Wide-gamut RGB color space等を含むことができる。例示的な実施形態によれば、目標色、色域、及び／又は色勾配の各々について、クライアントコンピューター３０でプロファイルテーブルを管理することが好ましい。ただし、サーバ２０及び／又はプリンター４０でプロファイルテーブルを管理することもできる。
【００３２】
図７は、例示的な実施形態による、目標色データを示す図表７００の図である。図７に示すように、目標色データ７００は、パッチ（ｎ個のパッチ）の各々とそれに対応する色目標のリストで表現することができる。例示的な実施形態によれば、対応する色目標は、ｎ個のパッチの各々についてL*target(n)、a*target(n)、b*target(n)の形式で、あるいは、例えば図１３に示すようにＣ％、Ｍ％、Ｙ％、及びＫ％のように表現することができる。
【００３３】
図８は、例示的な実施形態による、実際の色データを示す図表８００の図である。図８に示すように、測定した色データ８００は、パッチ（ｎ個のパッチ）の各々とそれに対応する測定データのリストで表現することができる。例示的な実施形態によれば、対応する測定データは、ｎ個のパッチの各々についてL*measured(n)、a*measured(n)、b*measured(n)の形式で表現することができる。
【００３４】
図９は、例示的な実施形態による、色品質を示す図表９００の図である。図９に示すように、プリンター４０の色品質は、例えば、以下の式を使用して計算することができる。
【数１】
2019123233.tif 000003
【数２】
2019123233.tif 000004
【００３５】
図１０は、例示的な実施形態による、複数のカラーパッチチャート１０１０、及びプリンター又は印刷機４０の状態をチェックするのに使用することができる例示的なカラーチャート１０２０の図である。図１０に示すように、複数のカラーパッチチャート１０１２、１０１４、１０１６、１０１８の各々は、例えば列及び行に配置することができる複数のカラーパッチ１０１３、１０１５、１０１７、１０１９を含むことができる。
【００３６】
例示的な実施形態によれば、例示的なカラーチャート１０２０は、複数のカラーパッチチャート１０１２、１０１４、１０１６、１０１８の各々からの１つ以上のカラーパッチを含むことができる。例えば、図１０に示すように、選択したカラーパッチ１０１３、１０１５、１０１７、１０１９は、複数のカラーパッチチャートの各々からの対応する行又は列からのカラーパッチとすることができる。あるいは、選択したカラーパッチ１０１３、１０１５、１０１７、１０１９は、選択したカラーパッチ１０１３、１０１５、１０１７、１０１９で様々な色（又は色空間）の各々が表わされる所望の色域に基づいて、複数のカラーパッチチャート１０１２、１０１４、１０１６、１０１８の様々な区域若しくは部分から選択されるカラーパッチとすることができ、又は、複数のカラーパッチチャート１０１２、１０１４、１０１６、１０１８の各々からランダムに選択されるカラーパッチとすることができる。
【００３７】
図１１は、例示的な実施形態による、複数のカラーパッチチャート１１１０、及びプリンター又は印刷機４０のプリンター状態をチェックするために使用することができる例示的なカラーチャート１１２０の図である。図１１に示すように、複数のカラーパッチチャート１１１２、１１１４、１１１６、１１１８の各々は、列及び行に配置することができる複数のカラーパッチを含むことができる。例示的な実施形態によれば、例示的なカラーチャート１１２０は、複数のカラーパッチ１１１２、１１１４、１１１６、１１１８の各々からの１つ以上のカラーパッチを含むことができ、例えば、カラーパッチの行を、複数のカラーパッチチャート１１１２、１１１４、１１１６、１１１８の各々から選択することができる。例示的な実施形態によれば、中断が発生する前に各カラーパッチチャート（ページ）から１つ以上のカラーパッチを選択することが好ましい。
【００３８】
図１２は、例示的な実施形態による、複数のカラーパッチチャート１２１０、及びプリンター又は印刷機４０のプリンター状態をチェックするために使用することができる例示的なカラーチャート１２２０、１２３０の図である。図１２に示すように、複数のカラーパッチチャート１２１０の各々は、列及び行に配置することができる複数のカラーパッチを含むことができる。例示的な実施形態によれば、例示的なカラーチャート１２２０、１２３０は、複数のカラーパッチチャート１２１０の各々から１つ以上のカラーパッチを含むことができ、それらは、例示的なカラーチャート１２２０の全体に配置されることがあり、又は、例示的なカラーチャート１２３０の一部に配置されることがある。
【００３９】
図１３は、元のカラーパッチ測定値１３１０、所定の許容範囲又は百分率の範囲内にある例示的なカラーパッチ測定値１３２０、及び所定の許容範囲又は百分率の範囲内にない例示的なカラーパッチ測定値１３３０を示す、例示的なカラーチャートから得られる測定値の一例を示す。
【００４０】
例えば、図１３に示すように、元のカラーチャートパッチ測定値１３１０は、１つ以上のパッチ、例えばパッチ１、パッチ２、パッチ３、パッチ４、…、パッチＮについて、例えば百分率（％）で、Ｃ、Ｍ、Ｙ、Ｋ（シアン、マゼンタ、黄色、及び黒色）の測定値を含むことができる。例示的な実施形態によれば、サンプルカラーチャートパッチ測定値（合格）１３２０は、Ｃ、Ｍ、Ｙ、Ｋ、（％）の測定値を含むことができ、これらの測定値が所定の許容範囲内、例えば元の値から５％以内である場合に、カラーチャートパッチ測定値は許容可能であるとみなすことができる。例示的な実施形態によれば、検証処理中の中断の後で、例えば紙詰まりが解消された後で、エンジンの状態が変化していないということを、判断することができる。
【００４１】
別の例示的な実施形態によれば、サンプルカラーチャートパッチ測定値（不合格）１３３０は、Ｃ、Ｍ、Ｙ、Ｋ、（％）の測定値を含むことができ、これらの測定値が所定の許容範囲内、例えば元の値から５％以内にない場合に、カラーチャートパッチ測定値は許容できないとみなすことができる。例示的な実施形態によれば、例えば、紙詰まりが解消された後で印刷エンジンの状態が変化したと判断することがあり、その結果、色検証処理を、例えば複数のカラーパッチチャート１０１０、１１１０、１２１０の１ページ目から開始して再開し、改めて測定するべきである。さらに、印刷エンジンの状態が所定の許容範囲を下回っている、例えば印刷エンジンの状態が不合格の状態にあることを結果が示す場合、対応する測定データを、印刷エンジンの色較正時に使用することができる。
【００４２】
図１４は、例示的な実施形態による、色測定データを再利用するための方法及びシステムを示す流れ図１４００である。図１４に示すように、工程Ｓ１０１では、プリンター（又はＭＦＰ）４０は、複数のカラーチャート、すなわち例えば図６、図１０、図１１、及び図１２に示すような複数のカラーチャート６００、１０１０、１１１０、１２１０を印刷するようになっている。工程Ｓ１０２では、プリンター（又はＭＦＰ）４０は、複数のカラーチャート６００、１０１０、１１１０、１２１０のカラーチャート（例えば、印刷されるカラーページ）を印刷する。工程Ｓ１０３では、工程Ｓ１０３で印刷されたカラーチャート（又はページ）を、印刷されたカラーチャートの色を測定する比色計（又は分光光度計）４１１を有するプリンター（又はＭＦＰ）４０上で走査する。ここで、比色計１１１は、ＲＧＢスキャナー、光検出器を備えた分光スキャナー、又は当分野で知られている他の感知機器を備えた分光スキャナーであって、印刷後の紙の経路及び／又は随意的な仕上げ装置に配置され得る。工程Ｓ１０４では、印刷されたカラーチャート１０１０、１１１０、１２１０の測定データ及び対応する識別子を、例えば以前の色検証ジョブ又は過去の色検証ジョブとして、例えばプリンター（又はＭＦＰ）４０のメモリーに、あるいはサーバ２０のメモリーに保存する。
【００４３】
例示的な実施形態によれば、工程Ｓ１０５では、工程Ｓ１０２で複数の印刷されるカラーチャート６００、１０１０、１１１０、１２１０のうちの１つ以上の印刷中に、又は複数の印刷されるカラーチャート６００、１０１０、１１１０、１２１０のうちの１つ以上の測定中に、紙詰まりが発生した場合、この処理は工程Ｓ１０６に進み、紙詰まりを解消する。工程Ｓ１０７では、１つ以上のサンプルパッチ、例えばパッチ１０１３、１０１５、１０１７、１０１９を、工程Ｓ１０４で選択されたカラーチャートの各々について、保存した測定データ及び対応する識別子から選択することができる。工程Ｓ１０８では、サンプルカラーチャート１０２０、１１２０、１２２０、１２３０を印刷する。工程Ｓ１０９では、工程Ｓ１０８で印刷されたサンプルカラーチャート（又はページ）１０２０、１１２０、１２２０、１２３０を、印刷されたカラーチャートの色を測定する比色計（又は分光光度計）４１１を有するプリンター（又はＭＦＰ）４０上で走査する。ここで、比色計１１１は、ＲＧＢスキャナー、光検出器を備えた分光スキャナー、又は当分野で知られている他の感知機器を備えた分光スキャナーであって、印刷後の紙の経路及び／又は随意的な仕上げ装置に配置され得る。
【００４４】
例示的な実施形態によれば、工程Ｓ１１０では、工程Ｓ１０９における測定データを、工程Ｓ１０４で印刷されたカラーチャート１０１０、１１１０、１２１０に対する保存した測定データ及び対応する識別子と比較する。例示的な実施形態によれば、工程Ｓ１０４で保存した測定データは、以前の（又は過去の）検証ジョブ、例えば紙詰まり又は中断が発生したときに実行されていた現在の色検証ジョブ（すなわち、工程Ｓ１０１〜Ｓ１０４で実行されるような第１の色検証ジョブ）からのものであるか、あるいは、例えば、現在の色検証ジョブ（又は第１の色検証ジョブ）と同じ日に実施又は実行された以前の（又は過去の）色検証ジョブである、色検証完了データからのものであり得る。例えば、色検証完了ジョブは、プリンター（又はＭＦＰ）４０の起動時に行われる色検証ジョブであり得る。
【００４５】
工程Ｓ１１１では、サンプルカラーチャート１０２０、１１２０、１２２０、１２３０からの現在の測定データが、所定の又は許容可能な基準を満たすかどうか、例えば、図１３に示すように所与の許容誤差（又は％）の範囲内である工程Ｓ１０９での測定データであるかどうかを判定する。
【００４６】
例示的な実施形態によれば、サンプルチャート１０２０、１１２０、１２２０、１２３０からの現在の測定データが、所定の又は許容可能な基準を満たす場合、例えば、図１３の図表１３２０で示すように所与の許容誤差（又は％）の範囲内である工程Ｓ１０９での測定データである場合、この処理は工程Ｓ１１３に進む。サンプルチャート１０２０、１１２０、１２２０、１２３０からの現在の測定データが所定の又は許容可能な基準を満たさない場合、例えば、工程Ｓ１０９での測定データが図１３の図表１３３０で示すように所与の許容誤差（又は％）の範囲内にない場合、この処理は工程Ｓ１１２に進み、工程Ｓ１０３及び／又はＳ１０９における測定データをクリア及び／又は削除して、この処理は工程Ｓ１０１に戻り、工程Ｓ１０１では、色検証処理を、複数のカラーチャートの最初のページの印刷から開始する。
【００４７】
あるいは、工程Ｓ１０５で、例えば工程Ｓ１０２での印刷されるカラーチャートの印刷中、又は印刷されるカラーチャートの測定中に紙詰まりが起きなかった場合、この処理は工程Ｓ１１３に進み、工程Ｓ１１３では、印刷されるカラーチャートがカラーチャートの最後のページであるかどうかを判定する。工程Ｓ１１３で、印刷されるカラーチャートが複数のカラーチャートの最後のページではない場合、この処理は工程Ｓ１０１に進み、工程Ｓ１０１では、複数のカラーチャートの次のページを印刷する。複数のカラーチャートの最後のページが印刷された場合、この処理は工程Ｓ１１４に進み、工程Ｓ１１４では、プリンター（又はＭＦＰ）４０は、本明細書に開示するような色検証処理を通じて、印刷されたカラーチャートの色精度を検証する。
【００４８】
例示的な実施形態によれば、印刷された色の一致度が所定の測定範囲、百分率（％）、又は許容範囲内である場合、色検証処理は所望の性能パラメータの範囲内にあるとみなすことができる。あるいは、印刷エンジンの状態が所望の性能パラメータの範囲内にはないことを色検証処理が示す場合、プリンター（又はＭＦＰ）４０は印刷エンジンの色較正を実施して、必要とされる色域又は色空間を再現することができる所望の性能レベルの範囲内に印刷エンジンがあるようにする。
【００４９】
図１５Ａ及び図１５Ｂは、別の例示的な実施形態による、色測定データを再利用するための方法及びシステムを示す流れ図１５００、１５１０である。工程Ｓ２０１では、印刷エンジンの状態が、図１４で示したように色検証処理に首尾よく合格した場合、工程Ｓ２０２で、色検証データを、例えばプリンター（又はＭＦＰ）４０のメモリーに、あるいはサーバ２０のメモリーに記憶（又は保存）する。工程Ｓ２０３では、プリンター（又はＭＦＰ）４０は色印刷ジョブを印刷し、この色印刷ジョブは、例えば、プリントショップ１０内部のクライアントコンピューター３０から、又はプリントショップ１２の外部のクライアントコンピューターから受け取ることができ、プリンター（又はＭＦＰ）は、プリントショップの内部に設置又は配置されている。例示的な実施形態によれば、プリントショップ１２は、１台以上のプリンター（又はＭＦＰ）４０を持つオフィス、企業、又は家庭であってもよい。
【００５０】
例示的な実施形態によれば、工程Ｓ２０４では、例えば印刷処理中に中断、例えば紙詰まりが発生したかどうかを判定することができる。印刷処理中に中断が発生しなかった場合、この処理は工程Ｓ２１１（図１５Ｂ）に進み、通常の印刷ジョブが続行する。
【００５１】
例示的な実施形態によれば、工程Ｓ２０４で印刷処理中に中断が発生した場合、この処理は工程Ｓ２０５に進み、工程Ｓ２０５では、中断の原因が修復又は除去される、例えば、紙詰まりが解消される。工程Ｓ２０６では、１つ以上のサンプルパッチ、例えばパッチ１０１３、１０１５、１０１７、１０１９を、例えば工程Ｓ１０４（図１４）で選択されたカラーチャートの各々について、保存した測定データ及び対応する識別子から選択することができる。工程Ｓ２０７では、サンプルカラーチャート１０２０、１１２０、１２２０、１２３０を印刷する。工程Ｓ２０８では、工程Ｓ２０７で印刷されたサンプルカラーチャート（又はページ）１０２０、１１２０、１２２０、１２３０を、印刷されたカラーチャートの色を測定する比色計（又は分光光度計）４１１を有するプリンター（又はＭＦＰ）４０上で走査する。ここで、比色計１１１は、ＲＧＢスキャナー、光検出器を備えた分光スキャナー、又は当分野で知られている他の感知機器を備えた分光スキャナーであって、印刷後の紙の経路及び／又は随意的な仕上げ装置に配置され得る。
【００５２】
例示的な実施形態によれば、工程Ｓ２０９では、工程Ｓ２０８における測定データを、工程Ｓ１０４で印刷されたカラーチャート１０１０、１１１０、１２１０の保存した測定データ及び対応する識別子と比較する。工程Ｓ２１０では、サンプルカラーチャート１０２０、１１２０、１２２０、１２３０からの現在の測定データが、所定の又は許容可能な基準を満たすかどうか、例えば、図１３に示すように所与の許容誤差（又は％）の範囲内である工程Ｓ２０８での測定データであるかどうかを判定する。
【００５３】
例示的な実施形態によれば、サンプルチャート１０２０、１１２０、１２２０、１２３０からの現在の測定データが、所定の又は許容可能な基準を満たす場合、例えば、図１３の図表１３２０で示すように所与の許容誤差（又は％）の範囲内である工程Ｓ２１０での測定データである場合、この処理は工程Ｓ２１１に進む。
【００５４】
例示的な実施形態によれば、サンプルチャート１０２０、１１２０、１２２０、１２３０からの現在の測定データが所定の又は許容可能な基準を満たさない場合、例えば、工程Ｓ２１０での測定データが図１３の図表１３３０で示すように所与の許容誤差（又は％）の範囲内にない場合、この処理は工程Ｓ２１２に進んで色較正処理を行い、さらに工程Ｓ２１３に進み、工程Ｓ２１３では、色検証処理を、複数のカラーチャートの最初のページの印刷から開始する。
【００５５】
工程Ｓ２１４では、プリンター（又はＭＦＰ）４０は、複数のカラーチャート６００、１０１０、１１１０、１２１０のカラーチャート（例えば、印刷されるカラーページ）を印刷する。工程Ｓ２１５では、工程Ｓ１０３で印刷されたカラーチャート（又はページ）を、印刷されたカラーチャートの色を測定する比色計（又は分光光度計）４１１を有するプリンター（又はＭＦＰ）４０上で走査する。ここで、比色計１１１は、ＲＧＢスキャナー、光検出器を備えた分光スキャナー、又は当分野で知られている他の感知機器を備えた分光スキャナーであって、印刷後の紙の経路及び／又は随意的な仕上げ装置に配置され得る。工程Ｓ２１６では、印刷されたカラーチャート１０１０、１１１０、１２１０の測定データ及び対応する識別子を、例えばプリンター（又はＭＦＰ）４０のメモリーに、あるいはサーバ２０のメモリーに保存する。工程Ｓ２１７では、複数のカラーチャート６００、１０１０、１１１０、１２１０の最後のページが印刷されていないかどうかを判定し、この処理は工程Ｓ２１３に戻る。
【００５６】
例示的な実施形態によれば、最後のページが印刷された場合、この処理は工程Ｓ２１８に進み、印刷されたカラーチャートの色精度を検証し、さらに工程Ｓ２１０に進み、現在の測定値が本明細書に開示するような許容可能な基準を満たすかどうかの判定を行うことができる。上述のように、工程Ｓ２１０で、サンプルチャート１０２０、１１２０、１２２０、１２３０からの現在の測定データが、所定の又は許容可能な基準を満たす場合、例えば、図１３の図表１３２０で示すように所与の許容誤差（又は％）の範囲内である工程Ｓ２１０での測定データである場合、この処理は工程Ｓ２１１に進む。サンプルチャート１０２０、１１２０、１２２０、１２３０からの現在の測定データが所定の又は許容可能な基準を満たさない場合、例えば、工程Ｓ２１０での測定データが所与の許容誤差（又は％）の範囲内にない場合、この処理は工程Ｓ２１２に進んで色較正処理を行い、さらに工程Ｓ２１３に進み、工程Ｓ２１３では、色検証処理を、複数のカラーチャートの最初のページの印刷から開始する。
【００５７】
例示的な実施形態によれば、開示する方法及び処理を、非一時的なコンピューター可読媒体に実装することができる。非一時的なコンピューター可読媒体は、磁気記録媒体、光磁気記録媒体、又は今後開発されるであろう任意の他の記録媒体であってもよく、それらの全てを、全く同様に本発明に適用可能であるとみなすことができる。１次及び２次複製製品などを含むそのような媒体の複製は、疑いなく、上記の媒体と等価であるとみなされる。さらに、本発明の実施形態がソフトウェアとハードウェアの組み合わせである場合であっても、本発明の概念から逸脱することは全くない。本発明は、そのソフトウェア部分が予め記録媒体に書き込まれており、動作時に必要に応じて読み取られるように、実装されることがある。
【００５８】
本発明の範囲又は趣旨から逸脱することなく、本発明の構造に様々な修正及び変更を加えることができることは、当業者には明らかである。前述の事柄を踏まえて、本発明は、本発明の修正例及び変更例が以下の特許請求の範囲及びその均等物の範囲内に含まれるならば、それらの修正例及び変更例を包含することが意図されている。
【図１】
2019123233.tif 000005
【図２】
2019123233.tif 000006
【図３】
2019123233.tif 000007
【図４】
2019123233.tif 000008
【図５】
2019123233.tif 000009
【図６】
2019123233.tif 000010
【図７】
2019123233.tif 000011
【図８】
2019123233.tif 000012
【図９】
2019123233.tif 000013
【図１０】
2019123233.tif 000014
【図１１】
2019123233.tif 000015
【図１２】
2019123233.tif 000016
【図１３】
2019123233.tif 000017
【図１４】
2019123233.tif 000018
【図１５Ａ】
2019123233.tif 000019
【図１５Ｂ】
2019123233.tif 000020
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
画像形成装置であって
１つ以上のカラーパッチを有するカラーチャートを読み取る感知機器、及び
プロセッサーを有し、
前記プロセッサーは、
第１の色検証ジョブを行い、
前記第１の色検証ジョブが完了する前に前記第１の色検証ジョブが中断された場合、又は印刷ジョブが中断された場合に、前記第１の色検証ジョブの後で、以前の色検証ジョブからの１つ以上のカラーパッチを含む第２の色検証ジョブを行い、
前記以前の色検証ジョブから測定データを取得し、
前記第２の色検証ジョブから測定データを取得し、
前記以前の色検証ジョブの前記測定データと前記第２の色検証ジョブの前記測定データとの間の１つ以上の相違点に基づいて、前記以前の色検証ジョブの前記測定データを再利用するかどうかを判断する、画像形成装置。
【請求項２】
前記以前の色検証ジョブの前記測定データを記憶するメモリーをさらに有する、請求項１に記載の画像形成装置。
【請求項３】
前記以前の色検証ジョブは前記第１の色検証ジョブである、請求項１又は２に記載の画像形成装置。
【請求項４】
前記以前の色検証ジョブの前記測定データは、前記第２の色検証ジョブと同じ日に実施された色検証完了データである、請求項１から３のいずれか一項に記載の画像形成装置。
【請求項５】
前記プロセッサーは、前記以前の色検証ジョブが紙詰まりによって中断されたかどうかを判断する、請求項１から４のいずれか一項に記載の画像形成装置。
【請求項６】
前記プロセッサーは、前記以前の色検証ジョブの前記測定データと前記第２の色検証ジョブの前記測定データとの間の色差が所定の値を超えない場合、前記以前の色検証ジョブの前記測定データを再利用することを決定する、請求項１から５のいずれか一項に記載の画像形成装置。
【請求項７】
前記プロセッサーは、前記第２の色検証ジョブの前記測定データが所定の値を超えない場合、前記第１の色検証ジョブの全体を１度だけ印刷する、請求項３に記載の画像形成装置。
【請求項８】
前記プロセッサーは、前記第２の色検証ジョブの前記測定データを前記以前の色検証ジョブの前記測定データと比較するために、前記以前の色検証ジョブからカラーパッチを選択してサンプルカラーチャートを生成する、請求項１から７のいずれか一項に記載の画像形成装置。
【請求項９】
前記サンプルカラーチャートは、前記第１の色検証ジョブの各ページから選択された少なくとも１つのパッチを含む、請求項８に記載の画像形成装置。
【請求項１０】
前記サンプルカラーチャートは、前記第１の色検証ジョブの各ページから選択された複数行のカラーパッチを含む、請求項８又は９に記載の画像形成装置。
【請求項１１】
画像形成装置の色検証のための方法であって、
以前の色検証ジョブの測定データを取得する工程と、
第１の色検証ジョブ又は印刷ジョブが中断されたかどうかを判定する工程と、
前記第１の色検証ジョブ又は前記印刷ジョブが中断された場合、第２の色検証ジョブの測定データを取得する工程と、
前記以前の色検証ジョブの前記測定データと前記第２の色検証ジョブの前記測定データとの間の１つ以上の相違点に基づいて、前記以前の色検証ジョブの前記測定データを再利用するかどうかを判断する工程と、を含む方法。
【請求項１２】
前記第１の色検証ジョブが完了した後の前記以前の色検証ジョブの前記測定データをメモリーに記憶する工程をさらに含む、請求項１１に記載の方法。
【請求項１３】
前記第１の色検証ジョブが紙詰まりによって中断されたかどうかを判定する工程をさらに含む、請求項１１又は１２に記載の方法。
【請求項１４】
前記以前の色検証ジョブの前記測定データと前記第２の色検証ジョブの前記測定データとの間の色差が所定の値を超えない場合、前記以前の色検証ジョブの前記測定データを再利用することを決定する工程をさらに含む、請求項１１から１３のいずれか一項に記載の方法。
【請求項１５】
前記第２の色検証ジョブの前記測定データを前記以前の色検証ジョブの前記測定データと比較するために、前記以前の色検証ジョブからカラーパッチを選択してサンプルカラーチャートを生成する工程をさらに含む、請求項１１から１４のいずれか一項に記載の方法。
【請求項１６】
コンピューターに、
以前の色検証ジョブの測定データを取得する工程と、
第１の色検証ジョブ又は印刷ジョブが中断されたかどうかを判定する工程と、
前記第１の色検証ジョブ又は前記印刷ジョブが中断された場合、第２の色検証ジョブの測定データを取得する工程と、
前記以前の色検証ジョブの前記測定データと前記第２の色検証ジョブの前記測定データとの間の１つ以上の相違点に基づいて、前記以前の色検証ジョブの前記測定データを再利用するかどうかを判断する工程と、を含む、画像形成装置の色検証用の処理を実行させる、プログラム。
【請求項１７】
前記処理は、前記第１の色検証ジョブが完了した後の前記以前の色検証ジョブの前記測定データをメモリーに記憶する工程をさらに含む、請求項１６に記載のプログラム。
【請求項１８】
前記処理は、前記以前の色検証ジョブが紙詰まりによって中断されたかどうかを判定する工程をさらに含む、請求項１６又は１７に記載のプログラム。
【請求項１９】
前記処理は、前記以前の色検証ジョブの前記測定データと前記第２の色検証ジョブの前記測定データとの間の色差が所定の値を超えない場合、前記以前の色検証ジョブの前記測定データを再利用することを決定する工程をさらに含む、請求項１６から１８のいずれか一項に記載のプログラム。
【請求項２０】
前記処理は、前記第２の色検証ジョブの前記測定データを前記以前の色検証ジョブの前記測定データと比較するために、前記以前の色検証ジョブからカラーパッチを選択してサンプルカラーチャートを生成する工程をさらに含む、請求項１６から１９のいずれか一項に記載のプログラム。
【手続補正２】
【補正対象書類名】明細書
【補正対象項目名】００１１
【補正方法】変更
【補正の内容】
【００１１】
コンピューターに、前の色検証ジョブの測定データを取得する工程と、第１の色検証ジョブ又は印刷ジョブが中断されたかどうかを判定する工程と、第１の色検証ジョブ又は印刷ジョブが中断された場合に第２の色検証ジョブの測定データを取得する工程と、前の色検証ジョブの測定データと第２の色検証ジョブの測定データとの１つ以上の相違点に基づいて、前の色検証ジョブの測定データを再利用するかどうかを判断する工程と、を含む、画像形成装置の色検証用の処理を実行させるプログラムが開示される。
【手続補正３】
【補正対象書類名】明細書
【補正対象項目名】００１９
【補正方法】変更
【補正の内容】
【００１９】
例示的な実施形態によれば、各クライアントコンピューター３０は、そのクライアントコンピューター３０のメモリー３０２内のウェブブラウザ３０６にアクセスすることができる表示装置又はグラフィカルユーザインターフェース（ＧＵＩ）３０４を含む。ウェブブラウザ３０６は、本、ホッチキス留めされた文書、取扱説明書、チラシ、ラベル等、特定の情報を印刷するためにプリントショップを利用することを期待している顧客を特に集客するように設計されたウェブポータル（又は管理プログラム）２０３にアクセスを提供するようになっている。ウェブポータル（又は管理プログラム）２０３は、少なくとも１台のサーバ２０が対応することが好ましい。しかしながら、ウェブポータル（又は管理プログラム）２０３は、プリントショップ１０内の少なくとも１台のクライアントコンピューター３０及び／又は１台以上のプリンター４０が対応することもある。
【手続補正４】
【補正対象書類名】明細書
【補正対象項目名】００４２
【補正方法】変更
【補正の内容】
【００４２】
図１４は、例示的な実施形態による、色測定データを再利用するための方法及びシステムを示す流れ図１４００である。図１４に示すように、工程Ｓ１０１では、プリンター（又はＭＦＰ）４０は、複数のカラーチャート、すなわち例えば図６、図１０、図１１、及び図１２に示すような複数のカラーチャート６００、１０１０、１１１０、１２１０を印刷するようになっている。工程Ｓ１０２では、プリンター（又はＭＦＰ）４０は、複数のカラーチャート６００、１０１０、１１１０、１２１０のカラーチャート（例えば、印刷されるカラーページ）を印刷する。工程Ｓ１０３では、工程Ｓ１０２で印刷されたカラーチャート（又はページ）を、印刷されたカラーチャートの色を測定する比色計（又は分光光度計）４１１を有するプリンター（又はＭＦＰ）４０上で走査する。ここで、比色計１１１は、ＲＧＢスキャナー、光検出器を備えた分光スキャナー、又は当分野で知られている他の感知機器を備えた分光スキャナーであって、印刷後の紙の経路及び／又は随意的な仕上げ装置に配置され得る。工程Ｓ１０４では、印刷されたカラーチャート１０１０、１１１０、１２１０の測定データ及び対応する識別子を、例えば以前の色検証ジョブ又は過去の色検証ジョブとして、例えばプリンター（又はＭＦＰ）４０のメモリーに、あるいはサーバ２０のメモリーに保存する。
【手続補正５】
【補正対象書類名】明細書
【補正対象項目名】００４９
【補正方法】変更
【補正の内容】
【００４９】
図１５Ａ及び図１５Ｂは、別の例示的な実施形態による、色測定データを再利用するための方法及びシステムを示す流れ図１５００、１５１０である。工程Ｓ２０１では、印刷エンジンの状態が、図１４で示したように色検証処理に首尾よく合格した場合、工程Ｓ２０２で、色検証データを、例えばプリンター（又はＭＦＰ）４０のメモリーに、あるいはサーバ２０のメモリーに記憶（又は保存）する。工程Ｓ２０３では、プリンター（又はＭＦＰ）４０は色印刷ジョブを印刷し、この色印刷ジョブは、例えば、プリントショップ１０内部のクライアントコンピューター３０から、又はプリントショップ１０の外部のクライアントコンピューターから受け取ることができ、プリンター（又はＭＦＰ）は、プリントショップの内部に設置又は配置されている。例示的な実施形態によれば、プリントショップ１０は、１台以上のプリンター（又はＭＦＰ）４０を持つオフィス、企業、又は家庭であってもよい。
【外国語明細書】
2019123233000001.pdf
2019123233000002.pdf
2019123233000003.pdf
2019123233000004.pdf